(57)【要約】【課題】  基板本体に取り付けるＬＥＤの光軸方向を適宜設定することができる回路基板体を提供すること。【解決手段】  可撓性を有する基板本体１４と、基板本体１４に設けられた配線パターン１６と、配線パターン１６に電気的に接続されるＬＥＤ１８とを備えた回路基板体。基板本体１４には、ＬＥＤ１８を取り付けるためのＬＥＤ取付部２０が設けられ、このＬＥＤ取付部２０は、第１取付孔２２と、第１取付孔２２の周囲に配設された複数の第２取付孔２４ａ〜２４ｄとを有している。ＬＥＤ１８の一方のリード２６ａは、第１の取付孔２２に取り付けられて配線パターン１６に電気的に接続され、またＬＥＤ１８の他方のリード２６ｂは、複数の第２取付孔２４ａ〜２４ｄのいずれかに取り付けられて配線パターン１６に電気的に接続される。【選択図】  図３
2006258888.tif 000002
【特許請求の範囲】
【請求項１】
可撓性を有する基板本体と、前記基板本体に設けられた配線パターンと、前記配線パターンに電気的に接続されるＬＥＤと、を備えた回路基板体において、
前記基板本体には、前記ＬＥＤを取り付けるためのＬＥＤ取付部が設けられ、前記ＬＥＤ取付部は、第１取付孔と、前記第１取付孔の周囲に配設された複数の第２取付孔とを有し、
前記ＬＥＤの一方のリードは、前記第１の取付孔に取り付けられて前記配線パターンに電気的に接続され、また前記ＬＥＤの他方のリードは、前記複数の第２取付孔のいずれかに取り付けられて前記配線パターンに電気的に接続されることを特徴とする回路基板体。
【請求項２】
前記基板本体は横長に構成され、前記ＬＥＤ取付部は、前記基板本体の長手方向に所定の間隔を置いて複数設けられ、また前記配線パターンは、前記基板本体の両面にそれぞれ配設されていることを特徴とする請求項１に記載の回路基板体。
【請求項３】
所定形状に形成されたケーシングと、前記ケーシングに設けられた収容空間に収容された光源とを備えた表示装置において、
前記光源は回路基板体から構成され、前記回路基板体は、可撓性を有する基板本体と、前記基板本体に設けられた配線パターンと、前記配線パターンに電気的に接続されるＬＥＤと、を備えており、
前記回路基板体の前記基板本体には、前記ＬＥＤを取り付けるためのＬＥＤ取付部が複数設けられ、前記ＬＥＤ取付部は、第１取付孔と、前記第１取付孔の周囲に配設された複数の第２取付孔とから構成され、
前記ＬＥＤの一方のリードは、前記第１取付孔に取り付けられて前記配線パターンに電気的に接続され、また前記ＬＥＤの他方のリードは、前記複数の第２取付孔のうちいずれかに取り付けられて前記配線パターンに電気的に接続されることを特徴とする表示装置。
【発明の詳細な説明】
【技術分野】
【０００１】
本発明は、ＬＥＤを備えた回路基板体及びこれを用いた表示装置に関する。
【背景技術】
【０００２】
従来より、例えば店舗などにおいて、電飾文字により宣伝広告などを行うための表示装置が用いられている。この表示装置は、例えば英文字などの所定の形状に形成されたケーシングと、このケーシングに設けられた収容空間に収容された光源とを備えている。ケーシングの片面には開口部が設けられており、表示装置を取付壁に取り付けた際に、このケーシングの開口部が取付壁と所定の間隔を置いて対向される。この状態において、光源からの光はケーシングの開口部を通して取付壁において反射され、この反射光がケーシングの外周部と取付壁との間より外部へ照射され、これによりケーシング部の外周部（輪郭）が光により浮かび上がる（例えば、特許文献１参照）。
【０００３】
表示装置の光源は回路基板体から構成されており、従来の回路基板体を図９を参照して説明すると、図示の回路基板体１００は、可撓性を有する基板本体１０２と、基板本体１０２に設けられた配線パターン１０４と、配線パターン１０４に電気的に接続される複数のＬＥＤ１０６とを備えている。基板本体１０２にはＬＥＤ１０６を取り付けるためのＬＥＤ取付部１０８が所定の間隔を置いて複数設けられており、このＬＥＤ取付部１０８は、一対のＬＥＤ取付孔１１０を有している。ＬＥＤ１０６の各リード１１２は、基板本体１０２の片面側より一対のＬＥＤ取付孔１１０にそれぞれ挿入されて半田付けされ、さらにこのＬＥＤ１０６のリード１１２が手作業などにより所定方向に略垂直に折り曲げられ、これにより各ＬＥＤ１０６の光軸は所定方向（図９において上方向）を向くようになる。このようにして構成された回路基板体１００は、表示装置（図示せず）のケーシング（図示せず）の形状に対応して手作業などにより適宜湾曲され、ケーシングの収容空間に収容される。表示装置を取付壁（図示せず）に取り付けた際には、各ＬＥＤ１０６の発光部１１４は取付壁に対向され、各ＬＥＤ１０６が発光すると、各ＬＥＤ１０６からの光が取付壁に向かって照射されてこの取付壁により反射される。
【０００４】
【特許文献１】特開２００５−５５６７６号公報
【発明の開示】
【発明が解決しようとする課題】
【０００５】
しかしながら、上述のような従来の表示装置では次のような問題がある。回路基板体１００の各ＬＥＤ１０６の光軸は全て所定方向を向いているため、各ＬＥＤ１０６を発光させた際にケーシングの端部より照射される光の照度が低くなる傾向があり、表示装置のケーシングの外周部全域に渡って均一な照度を得ることが難しいという問題が生じる。また、回路基板体１００の複数のＬＥＤ１０６のうち、ケーシングの端部に配設されるＬＥＤ１０６の光軸方向を適宜変更することができないため、ケーシングの端部から照射される光の照度を調節することができないという問題が生じる。
【０００６】
本発明の目的は、基板本体に取り付けるＬＥＤの光軸方向を適宜設定することができる回路基板体を提供することである。
本発明の他の目的は、ケーシングの外周部全域に渡って均一な照度が得られる表示装置を提供することである。
【課題を解決するための手段】
【０００７】
本発明の請求項１に記載の回路基板体では、可撓性を有する基板本体と、前記基板本体に設けられた配線パターンと、前記配線パターンに電気的に接続されるＬＥＤと、を備えた回路基板体において、
前記基板本体には、前記ＬＥＤを取り付けるためのＬＥＤ取付部が設けられ、前記ＬＥＤ取付部は、第１取付孔と、前記第１取付孔の周囲に配設された複数の第２取付孔とを有し、
前記ＬＥＤの一方のリードは、前記第１の取付孔に取り付けられて前記配線パターンに電気的に接続され、また前記ＬＥＤの他方のリードは、前記複数の第２取付孔のいずれかに取り付けられて前記配線パターンに電気的に接続されることを特徴とする。
【０００８】
また、本発明の請求項２に記載の回路基板体では、前記基板本体は横長に構成され、前記ＬＥＤ取付部は、前記基板本体の長手方向に所定の間隔を置いて複数設けられ、また前記配線パターンは、前記基板本体の両面にそれぞれ配設されていることを特徴とする。
【０００９】
さらに、本発明の請求項３に記載の表示装置では、所定形状に形成されたケーシングと、前記ケーシングに設けられた収容空間に収容された光源とを備えた表示装置において、
前記光源は回路基板体から構成され、前記回路基板体は、可撓性を有する基板本体と、前記基板本体に設けられた配線パターンと、前記配線パターンに電気的に接続されるＬＥＤと、を備えており、
前記回路基板体の前記基板本体には、前記ＬＥＤを取り付けるためのＬＥＤ取付部が複数設けられ、前記ＬＥＤ取付部は、第１取付孔と、前記第１取付孔の周囲に配設された複数の第２取付孔とから構成され、
前記ＬＥＤの一方のリードは、前記第１取付孔に取り付けられて前記配線パターンに電気的に接続され、また前記ＬＥＤの他方のリードは、前記複数の第２取付孔のうちいずれかに取り付けられて前記配線パターンに電気的に接続されることを特徴とする。
【発明の効果】
【００１０】
本発明の請求項１に記載の回路基板体によれば、基板本体にはＬＥＤを取り付けるためのＬＥＤ取付部が設けられ、このＬＥＤ取付部は、第１取付孔と、第１取付孔の周囲に配設された複数の第２取付孔とを有するので、ＬＥＤの一方のリードを第１取付孔に取り付け、またＬＥＤの他方のリードを複数の第２取付孔のいずれかに選択的に取り付けることにより、回路基板体の用途などに応じて、基板本体に取り付けるＬＥＤの光軸方向を適宜設定することが可能となる。
【００１１】
また、本発明の請求項２に記載の回路基板体によれば、基板本体は横長に構成され、ＬＥＤ取付部は、基板本体の長手方向に所定の間隔を置いて複数設けられているので、この回路基板体を例えば宣伝広告などに用いられる表示装置などの光源として好適に用いることが可能となる。また、配線パターンは、基板本体の両面にそれぞれ配設されているので、各ＬＥＤに電流を供給する際の電流容量を大きく構成することができ、これにより、例えば基板本体に多数のＬＥＤを取り付けた場合や、基板本体に消費電力の大きいＬＥＤなどを取り付けた場合であっても、各ＬＥＤに所望の電流を供給することが可能となる。
【００１２】
さらに、本発明の請求項３に記載の表示装置によれば、光源を構成する回路基板体は、基板本体、配線パターン及びＬＥＤを備えており、この基板本体にはＬＥＤを取り付けるためのＬＥＤ取付部が複数設けられ、ＬＥＤ取付部は、第１取付孔と、第１取付孔の周囲に配設された複数の第２取付孔とから構成されているので、ＬＥＤの一方のリードを第１取付孔に取り付け、またＬＥＤの他方のリードを複数の第２取付孔のうちいずれかに選択的に取り付けることにより、基板本体に取り付けられるＬＥＤの光軸方向を適宜設定することができ、例えばケーシングの端部より照射される光の照度を高めて、ケーシングの外周部全域に渡って均一な照度を得ることが可能となる。
【発明を実施するための最良の形態】
【００１３】
以下、添付図面を参照して、本発明に従う回路基板体及びこれを用いた表示装置の一実施形態について説明する。図１は、本発明の一実施形態による表示装置を示す概略斜視図、図２は、図１の回路基板体の基板本体を示す平面図、図３は、図２の基板本体にＬＥＤを取り付けた状態を示す概略斜視図、図４は、図１の表示装置のケーシングの端部を示す部分拡大図、図５は、図１の表示装置のＡ−Ａ’線断面図、図６は、図１の表示装置による照明状態を説明するための説明図である。
【００１４】
図１を参照して、図示の表示装置２は、所定形状に形成されたケーシング４と、このケーシング４に設けられた収容空間６に収容された光源８とを備えている。以下、この表示装置２の各構成要素について詳細に説明する。
【００１５】
ケーシング４は、所定形状（本実施形態では、英文字の「Ｃ」）に形成され、底壁３９と、この底壁３９の外周に設けられた一対の側壁４０ａ，４０ｂ及び一対の端壁４８とから構成されており、底壁３９と対向するケーシング４の片面（図１において上側の面）には開口部１０が設けられ、またこれら底壁３９、一対の側壁４０ａ，４０ｂ及び一対の端壁４８により囲まれた空間には収容空間６が設けられている。
【００１６】
光源８は回路基板体１２から構成され、この回路基板体１２は、可撓性を有する基板本体１４と、基板本体１４に設けられた配線パターン１６と、配線パターン１６に電気的に接続されるＬＥＤ１８（発光ダイオード）とを備えている（図３参照）。
【００１７】
図２を参照して、基板本体１４は、例えばガラスエポキシ樹脂などの絶縁材から構成されており、横長の矩形状に構成されている。また、基板本体１４は、可撓性を有する薄板状に構成され、その厚さ（肉厚）は例えば約０．２〜０．５ｍｍ程度に構成されている。基板本体１４の両面にはそれぞれ、銅箔などの導電材から構成された配線パターン１６が設けられている。また、基板本体１４には、ＬＥＤ１８を取り付けるためのＬＥＤ取付部２０が基板本体１４の長手方向に所定の間隔を置いて設けられている。このＬＥＤ取付部２０は、第１取付孔２２と、第１取付孔２２の周囲に所定の間隔を置いて配設された複数（本実施形態では４個）の第２取付孔２４ａ〜２４ｄとを有しており、これら第１及び第２取付孔２２，２４ａ〜２４ｄは、それぞれ基板本体１４の片面から他面まで貫通して延びている。また、第１取付孔２２と複数の第２取付孔２４ａ〜２４ｄの各々との離間距離はそれぞれ、ＬＥＤ１８の一対のリード２６ａ，２６ｂ（後述する）の離間距離とほぼ等しく構成されている。
【００１８】
基板本体１４の両面において、第１取付孔２２の開口部２８には矩形状の第１ランド部３０が設けられ、また第２取付孔２４ａ〜２４ｄの各々の開口部３２には円形状の第２ランド部３４が設けられ、これら第１及び第２ランド部３０，３４は銅箔などの導電材で構成されており、基板本体１４の配線パターン１６と電気的に接続されている。基板本体１４の両端部にはそれぞれ、配線パターン１６と電気的に接続された一対の端子部３６が設けられており、この端子部３６は、電力ケーブル（図示せず）などを介して電力供給装置（図示せず）などに接続され、電力供給装置からの所定の電力が電力ケーブル、端子部３６、配線パターン１６及び各ランド部３０，３４を介して各ＬＥＤ１８に供給される。なお、この基板本体１４には、抵抗素子などの他の回路部品（図示せず）を取り付けるための回路部品取付孔（図示せず）が複数設けられ、この回路部品取付孔は配線パターン１６と電気的に接続されている。
【００１９】
ＬＥＤ１８は、発光体であるチップが樹脂やガラスなどの透明体でモールドされた発光部３８と、この発光部３８から延びる一対のリード２６ａ，２６ｂとから構成されている（図３参照）。ＬＥＤ１８からの光は、その光軸を中心に立体角状に広がった配光を形成する。ＬＥＤ１８の一方のリード２６ａは、基板本体１４の片面側（又は、他面側）より第１取付孔２２に挿入されて半田付けして取り付けられ、これによりＬＥＤ１８の一方のリード２６ａが半田（図示せず）及び第１ランド部３０を介して配線パターン１６に電気的に接続される。またＬＥＤの他方のリード２６ｂは、基板本体１４の片面側（又は、他面側）より複数の第２取付孔２４ａ〜２４ｄのいずれかに挿入されて半田付けして取り付けられ、これによりＬＥＤ１８の他方のリード２６ｂが半田（図示せず）及び第２ランド部３４を介して配線パターン１６に電気的に接続される。このようにＬＥＤ１８をＬＥＤ取付部２０に取り付けた後（又は、取り付ける前）に、手作業や工具（図示せず）などを用いることにより、ＬＥＤ１８の各リード２６ａ，２６ｂを所定方向に略垂直に折り曲げる。このことに関連して、本実施形態の回路基板体１２では、基板本体１４に取り付けるＬＥＤ１８の光軸方向を次のようにして適宜変更することができる。
【００２０】
図３を参照して、ＬＥＤ１８ａの他方のリード２６ｂを第２取付孔２４ａに取り付けた場合には、ＬＥＤ１８ａの各リード２６ａ，２６ｂを所定方向（図３中の矢印Ｐで示す方向）に略垂直に折り曲げると（図５参照）、ＬＥＤ１８ａの光軸の方向は、基板本体１４の長手方向と直交する軸Ｃと略平行な方向となる。ＬＥＤ１８ｂの他方のリード２６ｂを第２取付孔２４ｂに取り付けた場合には、ＬＥＤ１８ｂの各リード２６ａ，２６ｂを所定方向（図３中の矢印Ｑで示す方向）に略垂直に折り曲げると、ＬＥＤ１８ｂの光軸の方向は、軸Ｃに対して所定角度αだけ傾斜した方向となる。ＬＥＤ１８ｃの他方のリード２６ｂを第２取付孔２４ｃに取り付けた場合には、ＬＥＤ１８の各リード２６ａ，２６ｂを所定方向（図３中の矢印Ｒで示す方向）に略垂直に折り曲げると、ＬＥＤ１８ｃの光軸の方向は、軸Ｃに対してほぼ直交する方向となる。ＬＥＤ１８ｄの他方のリード２６ｂを第２取付孔２４ｄに取り付けた場合には、ＬＥＤ１８ｄの各リード２６ａ，２６ｂを所定方向（図３中の矢印Ｓで示す方向）に略垂直に折り曲げると、ＬＥＤ１８の光軸の方向は、軸Ｃに対して所定角度βだけ傾斜した方向となる。したがって、ＬＥＤ１８の他方のリード２６ｂを複数の第２取付孔２４ａ〜２４ｄのうちいずれかに選択的に取り付けることによって、基板本体１４に取り付けられるＬＥＤ１８の光軸方向を適宜設定することが可能となる。なお、ＬＥＤ１８ａ〜１８ｄの各リード２６ａ，２６ｂを折り曲げる方向は、上記所定方向（図３中の矢印Ｐ，Ｑ，Ｒ，Ｓで示す方向）とは反対方向でもよい。
【００２１】
次に、図１を参照して、上記のようにして構成した回路基板体１２を組み付けた表示装置２について説明する。まず、ケーシング４の湾曲された一方の側壁４０ａの形状に対応して、回路基板体１２の基板本体１４を手作業などにより湾曲させ、両面テープや接着剤（図示せず）などを用いて回路基板体１２の基板本体１４の他面（ＬＥＤ１８が取り付けられていない側の面）をケーシング４の一方の側壁４０ａの内面に取り付ける。同様にして、ケーシング４の湾曲された他方の側壁４０ｂの内面に回路基板体１２の基板本体１４を取り付けることにより、ケーシング４の収容空間６に光源８が収容される。このように光源８がケーシング４の収容空間６に収容された状態において、各ＬＥＤ１８の発光部３８はケーシング４の開口部１０に対向される。なお、ケーシング４の開口部１０には、透明のガラス板や拡散透過板（図示せず）などを取り付けるようにしてもよい。また図１において、基板本体１４に設けられる配線パターン１６の図示は省略してある。
【００２２】
次に、図５及び図６を参照して、本実施形態の表示装置２による照明方法について説明する。表示装置２は、例えば屋内又は屋外に設けられた取付壁４２に取り付けられ、このように表示装置２が取付壁４２に取り付けられた状態においては、ケーシング４の開口部１０は、所定の間隔を置いて取付壁４２に対向される。電力供給手段（図示せず）からの所定の電力が電力ケーブル（図示せず）を介して基板本体１４の端子部３６に供給されると、この所定の電力は配線パターン１６、各ランド部３０，３４及び半田（図示せず）を介して各ＬＥＤ１８に供給され、これにより各ＬＥＤ１８が点灯する。各ＬＥＤ１８からの光は、ケーシング４の開口部１０を通して取付壁４２に向けて照射されて取付壁４２において反射され、この反射光は、ケーシング４の側壁４０ａ，４０ｂと取付壁４２との間に規定される空間を通して外部へ照射される。したがって、光源８からの光は、ケーシング４の外周部（すなわち、側壁４０ａ，４０ｂ及び端壁４８）と取付壁４２との間より、図６中の一点鎖線で示す照射領域４４において照射され、この光源８からの光により「Ｃ」という英文字の輪郭が浮かび上がる。この表示装置２と、他の英文字の形状に形成されたケーシングを備えた表示装置（図示せず）とを適宜組み合わせることにより、例えば「ＣＯＦＦＥＥ」などの宣伝広告文字などを構成することが可能となる。
【００２３】
ここで、基板本体２に取り付けられた各ＬＥＤ１８の光軸が、図３に示すＬＥＤ１８ａのように軸Ｃと略平行である場合には、表示装置２のケーシング４の端部４６から照射される光の照度は、ケーシング４の他の部位から照射される光の照度と比して低くなり、このため表示装置２のケーシング４の外周部全域において均一な照度を得ることができなくなる。したがって、上述したように、ＬＥＤ１８の他方のリード２６ｂを複数の第２取付孔２４ａ〜２４ｄのいずれかに選択的に取り付けることにより、ケーシング４の端部４６に配設されるＬＥＤ１８の光軸方向を適宜調節すればよい。例えば、図４に示すように、このケーシング４の端部４６に配置されるＬＥＤ１８の他方のリード２６ｂを第２取付孔２４ｂに取り付けることにより、このＬＥＤ１８の光軸方向を軸Ｃに対して所定角度αでもって傾斜した方向にさせる。これにより、このＬＥＤ１８の光軸がケーシング４の端壁４８側に傾斜されて、このＬＥＤ１８からの光がケーシング４の端部４６から照射されるので、ケーシング４の端部４６における光の照度を高めることが可能となる。
【００２４】
あるいは、このＬＥＤ１８の他方のリード２６ｂを第２取付孔２４ａ，２４ｃ又は２４ｄのいずれかに取り付けてもよく、ケーシング４の形状やケーシング４の端部４６における光の照度などに応じて、ＬＥＤ１８の他方のリード２６ｂを取り付ける第２取付孔２４ａ〜２４ｄを適宜選択すればよい。また、ケーシング４の端部４６以外の部位に配設された各ＬＥＤ１８の他方のリード２６ｂを第２取付孔２４ａ，２４ｃ，２４ｄのいずれかに選択的に取り付け、これらのＬＥＤ１８の光軸方向を適宜設定するようにしてもよい。
【００２５】
次に、図７及び図８を参照して、回路基板体及びこれを用いた表示装置の他の実施形態について説明する。図７は、他の実施形態による回路基板体を示す概略斜視図、図８は、図７の回路基板体を取り付けた表示装置を示す概略断面図である。図７及び図８において、図１〜図６に示す実施形態の構成要素と実質上同一の構成要素には同一の符号を付してその説明を省略する。
【００２６】
この他の実施形態の回路基板体１２Ａでは、基板本体１４Ａに設けられたＬＥＤ取付部２０Ａは、第１取付孔２２と、この第１取付孔２２の周囲に所定の間隔を置いて配設された複数（本実施形態では６個）の第２取付孔５０ａ〜５０ｆとから構成されている。第１取付孔２２と複数の第２取付孔５０ａ〜５０ｆの各々との離間距離はそれぞれ、ＬＥＤ１８の一対のリード２６ａ，２６ｂの離間距離とほぼ等しく構成されている。ＬＥＤ１８の一方のリード２６ａは第１取付孔２２に取り付けられ、またＬＥＤ１８の他方のリード２６ｂは複数の第２取付孔５０ａ〜５０ｆのいずれか（図７では、第２取付孔５０ｂ）に取り付けられる。各ＬＥＤ１８は、基板本体１４Ａの片面側のＬＥＤ取付部２０Ａ及びその他面側のＬＥＤ取付部２０Ａに交互に取り付けられている（図７参照）。また、基板本体１４ＡのＬＥＤ取付部２０Ａに取り付けたＬＥＤ１８の各リード２６ａ，２６ｂは、軸Ｃに対して所定角度γでもって所定方向に折り曲げられている（図８参照）。
【００２７】
表示装置２Ａのケーシング４Ａは、例えば英文字の「Ｓ」の形状に形成され（図示せず）、その内部に設けられた収容空間６Ａに回路基板体１２Ａが収容される。回路基板体１２Ａは、ケーシング４Ａの形状に対応して英文字の「Ｓ」の形状に手作業などにより湾曲され、ケーシング４Ａの一方の側壁５２ａと他方の側壁５２ｂとの間のほぼ中央（すなわち、収容空間６Ａのほぼ中央）に配設され、保持手段（図示せず）によりケーシング４Ａの底壁５４に保持される。
【００２８】
次に、この他の実施形態の表示装置２Ａによる照明方法について説明すると、基板本体１４Ａの片面側（図８において左側）（他面側（図８において右側））にそれぞれ取り付けられたＬＥＤ１８からの光は、ケーシング４Ａの開口部１０Ａを通して取付壁４２において反射され、この反射光がケーシング４Ａの一方の側壁５２ａ（他方の側壁５２ｂ）と取付壁４２との間に規定される空間を通して外部に照射される。ＬＥＤ１８は、基板本体１４Ａの両面にそれぞれ取り付けられているので、光源８Ａからの光がケーシング４Ａの外周部より効率よく照射されることとなる。
【００２９】
ケーシング４Ａの端部（図示せず）における光の照度が低い場合には、上記実施形態と同様に、ケーシング４Ａの端部に配置されるＬＥＤ１８の他方のリード２６ｂを複数の第２取付孔５０ａ〜５０ｆのいずれかに選択的に取り付けて、このＬＥＤ１８の光軸方向を適宜変更することができる。これにより、ケーシング４Ａの外周部全域より照射される光の照度を均一にすることが可能となる。
【００３０】
この他の実施形態では、第２取付孔５０ａ〜５０ｆの数は、上記実施形態の第２取付孔２４ａ〜２４ｄよりも多く設けられているので、ＬＥＤ１８の光軸方向をより細かく設定することができ、ケーシング４Ａの端部から照射される光の照度をより細かく調節することが可能となる。
【００３１】
以上、本発明に従う回路基板体及びこれを用いた表示装置の各種実施形態について説明したが、本発明はかかる実施形態に限定されるものではなく、本発明の範囲を逸脱することなく種々の変形乃至修正が可能である。
【００３２】
例えば、上記各実施形態では、回路基板体１２（１２Ａ）の基板本体１４（１４Ａ）をガラスエポキシ樹脂から構成したが、これに限られず、ポリイミド樹脂やフッ素系樹脂などの他の樹脂材料により構成してもよい。また例えば、上記各実施形態では、回路基板体１２（１２Ａ）の基板本体１４（１４Ａ）を薄板状に構成したが、例えばポリエステルやポリイミドなどから形成されるフィルム状に構成してもよい。
【００３３】
また例えば、上記各実施形態では、基板本体１４（１４Ａ）の両面にそれぞれ配線パターン１６を設けたが、基板本体１４（１４Ａ）の片面（又は、他面）にのみ配線パターン１６を設けるようにしてもよい。すなわち、基板本体１４（１４Ａ）に取り付けるＬＥＤ１８の消費電力が小さい場合や、基板本体１４（１４Ａ）に取り付けるＬＥＤ１８の数が少ない場合などには、各ＬＥＤ１８に電流を供給する際の電流容量は小さくなり、このような場合に基板本体１４（１４Ａ）の片面（又は、他面）にのみ配線パターン１６を設けるようにすることが好ましい。このように基板本体１４（１４Ａ）の片面（又は、他面）にのみ配線パターン１６を設けた場合であっても、基板本体１４（１４Ａ）の両面において、各取付孔２２，２４ａ〜２４ｄ（５０ａ〜５０ｆ）の各開口部２８，３２にそれぞれ第１及び第２ランド部３０，３４を設けることが好ましく、各ランド部３０，３４に半田付けを施すことによって、ＬＥＤ１８をＬＥＤ取付部２０（２０Ａ）に確実に取り付けることが可能となる。
【００３４】
また例えば、上記各実施形態では、光源８（８Ａ）からの光を取付壁４２に反射させてこの反射光により照明する間接照明方式の表示装置２（２Ａ）について説明したが、これに限られず、例えばこのケーシング４（４Ａ）の開口部１０（１０Ａ）に拡散透過板（図示せず）などを取り付け、光源８（８Ａ）からの光をこの拡散透過板を通して直接照射させる直接照明方式の表示装置であってもよい。
【００３５】
また例えば、上記各実施形態では、ケーシング４（４Ａ）の形状を英文字の「Ｃ」で形成したが、これに限られず、例えばアラビア数字、漢字又は記号などの適宜の形状で形成することができ、このケーシング４（４Ａ）の形状などに応じて、回路基板体１２（１２Ａ）の基板本体１４（１４Ａ）を適宜の形状に湾曲させてケーシング４（４Ａ）の収容空間６（６Ａ）に収容すればよい。あるいは、回路基板体１２（１２Ａ）の基板本体１４（１４Ａ）を湾曲させず、直線状のままケーシング４（４Ａ）の収容空間６（６Ａ）に収容するようにしてもよい。
【００３６】
また例えば、上記各実施形態では、第２取付孔２４ａ〜２４ｄ（５０ａ〜５０ｆ）を４個（６個）設けたが、その数は適宜設定することができ、またその配置も適宜設定することができる。また、上記各実施形態では、複数のＬＥＤ取付部２０（２０Ａ）を基板本体１４（１４Ａ）の長手方向に１列に設けたが、複数列設けるようにしてもよい。また、上記各実施形態では、ＬＥＤ１８の各リード２６ａ，２６ｂを所定方向に略垂直に（又は、所定角度γでもって）折り曲げたが、これらリード２６ａ，２６ｂを折り曲げずにＬＥＤ１８をＬＥＤ取付部２０（２０Ａ）に取り付けるようにしてもよく、また折り曲げる場合にはその折り曲げる角度は適宜設定すればよい。ＬＥＤ１８の各リード２６ａ，２６ｂを折り曲げる場合には、ＬＥＤ１８をＬＥＤ取付部２０（２０Ａ）に取り付けた後に折り曲げてもよいし、あるいは予め各リード２６ａ，２６ｂを折り曲げておき、この各リード２６ａ，２６ｂが折り曲げられたＬＥＤ１８をＬＥＤ取付部２０（２０Ａ）に取り付けるようにしてもよい。
【００３７】
また例えば、上記各実施形態では、回路基板体１２（１２Ａ）の基板本体１４（１４Ａ）に１つの回路のみを設けるようにしたが、これに限られず、複数の回路を設けるようにしてもよい。例えば、基板本体１４（１４Ａ）に独立した第１〜第３回路を設け、これら第１〜第３回路にはそれぞれ緑色、赤色及び白色のＬＥＤを取り付けるようにし、第１〜第３回路の各端子部への電力供給を適宜切り替えることにより、複数の発光色が得られる表示装置２（２Ａ）を提供することが可能となる。
【図面の簡単な説明】
【００３８】
【図１】本発明の一実施形態による表示装置を示す概略斜視図である。
【図２】図１の回路基板体の基板本体を示す平面図である。
【図３】図２の基板本体にＬＥＤを取り付けた状態を示す概略斜視図である。
【図４】図１の表示装置のケーシングの端部を示す部分拡大図である。
【図５】図１の表示装置のＡ−Ａ’線断面図である。
【図６】図１の表示装置による照明状態を説明するための説明図である。
【図７】他の実施形態による回路基板体を示す概略斜視図である。
【図８】図７の回路基板体を取り付けた表示装置を示す概略断面図である。
【図９】従来の回路基板体を示す概略斜視図である。
【符号の説明】
【００３９】
２，２Ａ  表示装置
４，４Ａ  ケーシング
６，６Ａ  収容空間
８，８Ａ  光源
１２，１２Ａ  回路基板体
１４，１４Ａ  基板本体
１６  配線パターン
１８，１８ａ〜１８ｄ  ＬＥＤ
２０，２０Ａ  ＬＥＤ取付部
２２  第１取付孔
２４ａ〜２４ｄ，５０ａ〜５０ｆ  第２取付孔
２６ａ，２６ｂ  リード
【図１】
2006258888.tif 000003
【図２】
2006258888.tif 000004
【図３】
2006258888.tif 000005
【図４】
2006258888.tif 000006
【図５】
2006258888.tif 000007
【図６】
2006258888.tif 000008
【図７】
2006258888.tif 000009
【図８】
2006258888.tif 000010
【図９】
2006258888.tif 000011